(57)【要約】【課題】本発明は、羽根部の支持部への取付けにおいて、ねじによる取付け作業時間を短縮することを目的とする。【解決手段】羽根部４の根元部５から回転方向および回転方向に対して逆方向に延びた突出部７を有し、支持部２は、根元部５を支持する水平面部８を備え、支持部２に固定された上カバー部３は、上面には上下方向に開口したねじ孔部９を備え、側面には、支持部２に上カバー部３を固定することで、水平方向に開口する第１の孔部分１１と、根元部５を挿入可能な第１の孔部分の下側に連結した第２の孔部分１２とを備え、羽根部４を支持部２に取り付ける場合には、根元部５および突出部７を第１の孔部分１１に挿入し、根元部５を第１の孔部分１１から第２の孔部分１２へ移動し、ねじ孔部９にねじ１４を締結し、ねじの下端部１５により孔部１０内の根元部５および突出部７を水平面部８に押さえつけることを特徴とする。【選択図】図２
2016183586.tif 000002
【特許請求の範囲】
【請求項１】
モータ部と、前記モータ部の周縁に回転自在に設けた支持部と、前記支持部に固定された上カバー部と、前記支持部に着脱可能に設けた複数の金属製の羽根部とを備え、前記羽根部は、前記支持部に固定される根元部と、前記支持部が回転することにより空気を送風する翼部とを有し、前記根元部には、前記根元部から回転方向および回転方向に対して逆方向に延びた突出部を有し、前記支持部は、前記根元部を支持する水平面部を備え、前記上カバー部は、下面が開口した椀形状で、上面には上下方向に開口したねじ孔部を備え、側面には前記支持部に上カバー部を固定することで、水平方向に開口する孔部を設け、前記孔部は、前記根元部および前記突出部を挿入可能な第１の孔部分と、前記根元部を挿入可能な第２の孔部分とを備え、前記第２の孔部分は、前記第１の孔部分の下側に位置し、第１の孔部分と連結し、前記羽根部を前記支持部に取り付ける場合には、前記根元部および前記突出部を前記第１の孔部分に挿入し、前記根元部を前記第１の孔部分から前記第２の孔部分へ移動し、前記突出部の端部を前記上カバー部の内方側面に接触させ、前記ねじ孔部にねじを締結し、前記ねじの下端部により前記孔部内の前記根元部および前記突出部を前記水平面部に押さえつけることを特徴とする天井扇風機。
【請求項２】
前記支持部には、前記水平面部から上方向へ伸びた突起部を備え、前記羽根部の前記突出部には、前記突起部が嵌る孔である連結部を設けたことを特徴とする請求項１に記載の天井扇風機。
【請求項３】
前記第１の孔部分の下端部は、前記上カバー部の内側方向へ伸びた引掛部を有し、前記引掛部は、前記根元部より上方に位置することを特徴とする請求項１から２に記載の天井扇風機。
【発明の詳細な説明】
【技術分野】
【０００１】
本発明は、天井から吊下げられた天井扇風機に関する。
【背景技術】
【０００２】
従来、この種の天井扇風機の構成は、以下のようになっていた。
【０００３】
すなわち、モータ部と、このモータ部の周縁に回転自在に設けた支持部と、この支持部に着脱可能に設けた複数の金属製の羽根部とから構成し、この羽根部は、前記支持部に固定される根元部と、前記支持部が回転することにより空気を送風する翼部を備えた構成となっていた。
【０００４】
例えば、これに類似する先行文献は下記特許文献１に記載されている。
【先行技術文献】
【特許文献】
【０００５】
【特許文献１】特開２００９−１２１２４３号公報
【発明の概要】
【発明が解決しようとする課題】
【０００６】
上記従来例における課題は、羽根部を支持部へ固定する作業の時間を短縮させることであった。
【０００７】
すなわち、羽根部を支持部へ固定する際に、まず羽根部の根元部を固定する位置に２箇所以上で締結されたねじを取外してから、または羽根部の根元部を固定する位置にねじが締結されていない場合は別途用意されたねじを用いて、羽根部の根元部と支持部を２箇所以上の締結により固定するため、羽根部は複数枚有するので、その取付け作業に時間がかかっていた。
【０００８】
そこで、本発明は、羽根部の支持部への固定において、羽根部の落下に対する安全性を確保したままで、ねじによる締結箇所を１箇所とすることで取付け作業時間を短縮することができることを目的とするものである。
【課題を解決するための手段】
【０００９】
そして、この目的を達成するために、本発明は、モータ部と、前記モータ部の周縁に回転自在に設けた支持部と、前記支持部に固定された上カバー部と、前記支持部に着脱可能に設けた複数の金属製の羽根部とを備え、前記羽根部は、前記支持部に固定される根元部と、前記支持部が回転することにより空気を送風する翼部とを有し、前記根元部には、前記根元部から回転方向および回転方向に対して逆方向に延びた突出部を有し、前記支持部は、前記根元部を支持する水平面部を備え、前記上カバー部は、下面が開口した椀形状で、上面には上下方向に開口したねじ孔部を備え、側面には前記支持部に上カバー部を固定することで、水平方向に開口する孔部を設け、前記孔部は、前記根元部および前記突出部を挿入可能な第１の孔部分と、前記根元部を挿入可能な第２の孔部分とを備え、前記第２の孔部分は、前記第１の孔部分の下側に位置し、第１の孔部分と連結し、前記羽根部を前記支持部に取り付ける場合には、前記根元部および前記突出部を前記第１の孔部分に挿入し、前記根元部を前記第１の孔部分から前記第２の孔部分へ移動し、前記突出部の端部を前記上カバー部の内方側面に接触させ、前記ねじ孔部にねじを締結し、前記ねじの下端部により前記孔部内の前記根元部および前記突出部を前記水平面部に押さえつけることを特徴としたものであり、これにより所期の目的を達成するものである。
【発明の効果】
【００１０】
本発明によれば、モータ部と、前記モータ部の周縁に回転自在に設けた支持部と、前記支持部に固定された上カバー部と、前記支持部に着脱可能に設けた複数の金属製の羽根部とを備え、前記羽根部は、前記支持部に固定される根元部と、前記支持部が回転することにより空気を送風する翼部とを有し、前記根元部には、前記根元部から回転方向および回転方向に対して逆方向に延びた突出部を有し、前記支持部は、前記根元部を支持する水平面部を備え、前記上カバー部は、下面が開口した椀形状で、上面には上下方向に開口したねじ孔部を備え、側面には前記支持部に上カバー部を固定することで、水平方向に開口する孔部を設け、前記孔部は、前記根元部および前記突出部を挿入可能な第１の孔部分と、前記根元部を挿入可能な第２の孔部分とを備え、前記第２の孔部分は、前記第１の孔部分の下側に位置し、第１の孔部分と連結し、前記羽根部を前記支持部に取り付ける場合には、前記根元部および前記突出部を前記第１の孔部分に挿入し、前記根元部を前記第１の孔部分から前記第２の孔部分へ移動し、前記突出部の端部を前記上カバー部の内方側面に接触させ、前記ねじ孔部にねじを締結し、前記ねじの下端部により前記孔部内の前記根元部および前記突出部を前記水平面部押さえつける構成にしたことにより、ねじが緩むことによって羽根部が支持部へ固定されていない状態が起きた場合において、天井扇風機の運転停止時に羽根部が自重により垂れ下がるが、前記突出部の端部が前記上カバー部の内方側面に引掛り、落下することなくねじの緩みを認識でき、羽根部の支持部への固定において、ねじによる締結箇所が１箇所となるので、羽根部の落下に対する安全性を確保したままで、羽根部を支持部へ固定する作業時間を短縮することができる。
【図面の簡単な説明】
【００１１】
【図１】本発明の実施の形態１の天井扇風機の概要を示す図
【図２】同、羽根部の支持部の概要を示す図
【図３】同、羽根部と支持部への取付け状態を示す図
【図４】同、羽根部と支持部への取付け状態を示す図
【図５】同、羽根部の根元部の概要を示す図
【図６】同、支持部に固定された上カバー部の孔部内部の概要を示す図
【発明を実施するための形態】
【００１２】
本発明の請求項１記載の天井扇風機は、モータ部と、前記モータ部の周縁に回転自在に設けた支持部と、前記支持部に固定された上カバー部と、前記支持部に着脱可能に設けた複数の金属製の羽根部とを備え、前記羽根部は、前記支持部に固定される根元部と、前記支持部が回転することにより空気を送風する翼部とを有し、前記根元部には、前記根元部から回転方向および回転方向に対して逆方向に延びた突出部を有し、前記支持部は、前記根元部を支持する水平面部を備え、前記上カバー部は、下面が開口した椀形状で、上面には上下方向に開口したねじ孔部を備え、側面には前記支持部に上カバー部を固定することで、水平方向に開口する孔部を設け、前記孔部は、前記根元部および前記突出部を挿入可能な第１の孔部分と、前記根元部を挿入可能な第２の孔部分とを備え、前記第２の孔部分は、前記第１の孔部分の下側に位置し、第１の孔部分と連結し、前記羽根部を前記支持部に取り付ける場合には、前記根元部および前記突出部を前記第１の孔部分に挿入し、前記根元部を前記第１の孔部分から前記第２の孔部分へ移動し、前記突出部の端部を前記上カバー部の内方側面に接触させ、前記ねじ孔部にねじを締結し、前記ねじの下端部により前記孔部内の前記根元部および前記突出部を前記水平面部に押さえつける構成を有する。
【００１３】
これにより、ねじが緩むことによって羽根部と支持部とが締結されていない状態が起きた場合において、天井扇風機の運転停止時に羽根部が自重により垂れ下がるが、前記突出部の端部が前記上カバー部の内方側面に引掛ることで落下を防止できる。更に、羽根部の支持部への固定において、ねじによる締結箇所が１箇所となるので、羽根部の落下に対する安全性を確保したままで、羽根部を支持部へ固定する作業時間を短縮することができるという効果を奏する。
【００１４】
また、前記支持部には、前記水平面部から上方向へ伸びた突起部を備え、前記羽根部の前記突出部には、前記突起部が嵌る孔である連結部を設けられた構成にしてもよい。
【００１５】
これにより、羽根部の支持部への固定において、根元部および突出部を第１の孔部分に挿入し、根元部を第１の孔部分から第２の孔部分へ移動し、突出部の端部を上カバー部の内方側面に接触させ、ねじ孔部にねじを締結し、ねじの下端部により孔部内の根元部および突出部を水平面部に押さえつける際に、羽根部の取付け位置の精度と取付け強度を確保したままでねじによる締結箇所を１箇所にすることができるという効果を奏する。
【００１６】
また、前記第１の孔部分の下端部は、前記上カバー部の内側方向へ伸びた引掛部を有し、前記引掛部は、前記根元部より上方に位置する構成にしてもよい。
【００１７】
これにより、羽根部が支持部に固定された状態から、ねじが緩むことによって羽根部と支持部とが締結されていない状態が起きた場合において、天井扇風機の運転時に羽根部が遠心力と上下方向の風力の反作用とが加わり、羽根の先端側が上昇した場合でも、突出部の端部が第１の孔部分の下端部の前記上カバー部の内側方向へ伸びた引掛部に引掛り、羽根部の落下を防止することができるという効果を奏する。
【００１８】
以下、本発明の実施の形態について図面を参照しながら説明する。
【００１９】
（実施の形態１）
図１は、本発明の実施の形態の天井扇風機の概要を示す図である。図２は、本発明の実施の形態の天井扇風機の羽根部の支持部の概要を示す図である。図３は、本発明の実施の形態の天井扇風機の羽根部と支持部への取付け状態を示す図である。図４は、本発明の実施の形態の天井扇風機の羽根部と支持部への取付け状態を示す図である。図５は、本発明の実施の形態の天井扇風機の羽根部の根元部の概要を示す図である。図６は、本発明の実施の形態の天井扇風機の支持部に固定された上カバー部の孔部内部の概要を示す図である。
【００２０】
図１に示すように、天井扇風機は、モータ部１と、支持部２と、上カバー部３と、羽根部４とを備えている。
【００２１】
モータ部１の周縁部には支持部２が設けられており、この支持部２に固定された上カバー部３と、支持部２に着脱可能な複数の金属製の羽根部４を備えている。この羽根部４は、モータ部１から外方水平方向に延びるように固定される。ここで、モータ部１が回転することにより、羽根部４が回転し、空気が羽根部４から下方へ送風される。
【００２２】
本実施形態における特徴は、羽根部４の支持部２への取付け構造にある。
【００２３】
具体的には、図２に示すように、羽根部４は、支持部２に固定される根元部５と、回転することにより空気を送風する翼部６で構成され、図２に示すように、根元部５には、根元部５から回転方向および回転方向に対して逆方向に延びた突出部７を有している。
【００２４】
支持部２は、根元部５を支持する水平面部８を備えている。上カバー部３は、下面が開口した椀形状で、上面には上下方向に開口したねじ孔部９を備え、側面には支持部２に上カバー部３を固定することで、水平方向に開口する孔部１０を備えている。この孔部１０は、根元部５および突出部７を挿入可能な第１の孔部分１１と、根元部５を挿入可能な第２の孔部分１２とを備えている。第２の孔部分１２は、第１の孔部分１１の下側に位置し、第１の孔部分１１と連結している。第１の孔部分１１と第２の孔部分１２は、上カバー部３の下端部を切り欠いたものである。
【００２５】
ここで、羽根部４の支持部２への取付け方法を説明する。
【００２６】
まず、根元部５および突出部７を第１の孔部分１１に挿入し、根元部５を第１の孔部分１１から第２の孔部分１２へ移動し、図３、図４に示すように、突出部７の端部１３を上カバー部３の内方側面に接触させ、ねじ孔部９にねじ１４を締結し、ねじの下端部１５により孔部１０内の根元部５および突出部７を水平面部８に押さえつけるものである。
【００２７】
これにより、ねじ１４が緩むことによって羽根部４が支持部２へ固定されていない状態が起きた場合において、天井扇風機の運転停止時に羽根部４が自重により垂れ下がる。しかし、突出部７の端部１３が上カバー部３の内方側面に引掛ることで落下を防止でき、羽根部４の支持部２への固定において、ねじ１４による締結箇所が１箇所となるので、羽根部４の落下に対する安全性を確保したままで、羽根部４を支持部２へ固定する作業時間を短縮することができる。
【００２８】
更に、支持部２の根元部５および突出部７を押さえつける水平面部８について説明する。
【００２９】
図４、図５、図６に示すように、支持部２には、水平面部８から上方向へ伸びた突起部１６を備え、羽根部４の突出部７には、突起部１６が嵌る孔である連結部１７を設けている。
【００３０】
これにより、羽根部４の支持部２への固定において、ねじ孔部９にねじ１４を締結し、ねじの下端部１５により孔部１０内の根元部５および突出部７を水平面部８に押さえつける際に、突起部１６と連結部１７とが嵌合することにより、羽根部４を支持部２へ取付ける位置の精度と取付け強度が向上するものとなる。
【００３１】
更に、上カバー部３側面の第１の孔部分１１について説明する。
【００３２】
図３、図６に示すように、第１の孔部分１１の下端部は、上カバー部３の内側方向へ伸びた引掛部１８を有し、引掛部１８は、根元部５より上方に位置している。
【００３３】
これにより、ねじ１４が緩むことによって羽根部４が支持部２へ固定されていない状態が起きた場合において、天井扇風機の運転時に羽根部４が遠心力と上下方向の風力の反作用とが加わり、羽根の先端側が上昇した場合でも、突出部７の端部が第１の孔部分１１の下端部の上カバー部３の内側方向へ伸びた引掛部１８に引掛り、羽根部４の落下を防止でき、安全性が向上するものとなる。
【産業上の利用可能性】
【００３４】
本発明によれば、家庭用や事務用などの、天井扇風機としての活用が期待されるものである。
【符号の説明】
【００３５】
１  モータ部
２  支持部
３  上カバー部
４  羽根部
５  根元部
６  翼部
７  突出部
８  水平面部
９  ねじ孔部
１０  孔部
１１  第１の孔部分
１２  第２の孔部分
１３  端部
１４  ねじ
１５  ねじの下端部
１６  突起部
１７  連結部
１８  引掛部
【図１】
2016183586.tif 000003
【図２】
2016183586.tif 000004
【図３】
2016183586.tif 000005
【図４】
2016183586.tif 000006
【図５】
2016183586.tif 000007
【図６】
2016183586.tif 000008